(57)【要約】【課題】  既設の浮屋根式タンクへの適用が容易であり、かつ、地震時のスロッシングによる貯蔵液と浮屋根の共振を抑制することができ、タンク内壁とシール装置との隙間の発生を抑制して貯蔵液の漏れ出しを防止し、発火の可能性を大幅に低減することができる浮屋根式タンクの耐震装置を提供する。【解決手段】  上部が開口し内部に液体を貯蔵する貯蔵タンク１と、貯蔵タンク内の液面に浮力により浮き液面を塞ぐ浮屋根２とを有する浮屋根式タンクの耐震装置１０。浮屋根２の外周部上面を等角度間隔で吊り上げる複数の吊上装置１２を備える。【選択図】      図１
2005247379.tif 000002
【特許請求の範囲】
【請求項１】
上部が開口し内部に液体を貯蔵する貯蔵タンクと、該貯蔵タンク内の液面に浮力により浮き液面を塞ぐ浮屋根とを有する浮屋根式タンクの耐震装置であって、
浮屋根の外周部上面を等角度間隔で吊り上げる複数の吊上装置を備えた、ことを特徴とする浮屋根式タンクの耐震装置。
【請求項２】
前記各吊上装置は、一端が浮屋根の外周部上面に固定されたワイヤと、貯蔵タンクの外周部上端に取り付けられ前記ワイヤを貯蔵タンクの外部に案内するプーリと、貯蔵タンクの外部に設置されワイヤの他端を巻取り／巻戻しするウインチとからなる、ことを特徴とする請求項１に記載の屋根式タンクの耐震装置。
【請求項３】
前記ワイヤの移動速度が所定の速度を超える場合に、該ワイヤを制動するワイヤ制動装置を備える、ことを特徴とする請求項２に記載の屋根式タンクの耐震装置。
【請求項４】
前記複数の吊上装置を同期して作動させる制御装置を備える、ことを特徴とする請求項１に記載の屋根式タンクの耐震装置。
【請求項５】
前記各吊上装置の吊上げ荷重をそれぞれ検出する複数のロードセルと、検出された吊上げ荷重が所定の設定値を超えないように複数の吊上装置の吊上げ／吊下げを制御する制御装置とを備え、
前記検出された吊上げ荷重が所定の設定値を超える場合に、当該吊上装置の吊上げ／吊下げを停止又は制動する、ことを特徴とする請求項１に記載の屋根式タンクの耐震装置。
【請求項６】
浮屋根に設置されその傾斜度を検出する傾斜度センサと、検出された傾斜度が所定の設定値を超えないように複数の吊上装置の吊上げ／吊下げを制御する制御装置とを備え、
前記検出された傾斜度が所定の設定値を超える場合に、下方に位置する屋根式タンクの外周部を吊り上げる吊上装置の吊上げ／吊下げを停止又は制動する、ことを特徴とする請求項１に記載の屋根式タンクの耐震装置。
【請求項７】
浮屋根の上面に固定された複数のフードダンパを備える、ことを特徴とする請求項１に記載の屋根式タンクの耐震装置。
【請求項８】
上部が開口し内部に液体を貯蔵する貯蔵タンクと、該貯蔵タンク内の液面に浮力により浮き液面を塞ぐ浮屋根とを有する浮屋根式タンクの耐震装置であって、
浮屋根の上面に一端部が連結され他端部が貯蔵タンクの外周上端部に連結され、浮屋根を水平に保持するように同期して作動する複数のリンク連結装置を備える、ことを特徴とする浮屋根式タンクの耐震装置。
【請求項９】
前記リンク連結装置は、浮屋根の上面に設置された水平レールと、該水平レールに沿って水平に移動可能なスライダ部材と、両端がスライダ部材と貯蔵タンクの外周上端部に水平レールに直交する水平軸を中心に回転可能に枢着されたリンク部材とからなる、ことを特徴とする請求項８に記載の屋根式タンクの耐震装置。
【請求項１０】
前記リンク部材は、互に平行に配置され長さの等しい２本のリンクロッドを対辺とする平行リンクである、ことを特徴とする請求項９に記載の屋根式タンクの耐震装置。
【発明の詳細な説明】
【技術分野】
【０００１】
本発明は、浮屋根式タンクの耐震装置に関する。
【背景技術】
【０００２】
原油や精製石油等を大量に貯蔵するために、浮屋根式タンクが広く使用されている。
図６Ａは従来の一般的な浮屋根式タンクの模式図、図６Ｂは図６Ａの部分拡大図、図６Ｃはその斜視図である。
【０００３】
図６Ａ〜Ｃにおいて、５１は上部が開口した円筒形の貯蔵タンク、５２は浮屋根である。浮屋根５２は、貯蔵タンクの内側に位置するポンツーン５３と、ポンツーンと貯蔵タンクの間をシールするシール装置５４、ポンツーンの内側を気密に塞ぐシングルデッキ５５、シール装置の上部への雨水の侵入を防止するウェザーシールド５６、等からなる。
【０００４】
ポンツーン５３は、内部が中空の密封された容器であり、貯蔵タンク内の貯蔵液５７（原油や精製石油）に浮力で浮かぶ。従って、浮屋根５２は、常に貯蔵液の液面に密着し、シール装置５４とシングルデッキ５５により上部の外気との接触を防止しながら、貯蔵液５７の増減に応じて浮力により昇降するようになっている。なお大型の浮屋根式タンクでは、ポンツーン５３の内部点検用にマンホール５３ａが設けられる。
【０００５】
上述した浮屋根式タンクは、構造が簡単である反面、地震時のスロッシングによって、貯蔵液５７の自由表面が周期的に傾動すると、浮屋根５２も自由表面とともに周期的に傾動するため、特に共振により貯蔵タンク５１の内壁とシール装置５４の間に隙間ができ、内部の貯蔵液５７が浮屋根５２の上面に漏れ出し、外気と接触して発火する可能性があった。
【０００６】
この問題を解決するために、特許文献１、２が既に開示されている。
【０００７】
特許文献１の「タンクの耐震用浮屋根平衡保持装置」は、液面に対応して昇降する浮屋根を有する円筒形の浮屋根式タンクにおいて、図７に示すように、２本１組からなる１対のワイヤ６１、６２を等角度間隔で複数組配置し、１対のワイヤの一方６１は、浮屋根６３の上面からスプリング付ダンパ６４を介してタンク６５の上端に取り付けられた滑車６６に添設して下方に導かれ、更に、タンク底板に沿って同一直径上の反対側の浮屋根の下側に固定され、他方のワイヤ６２は同様にして一方のワイヤと反対側の浮屋根の上麺からスプリング付ダンパ６４を介してタンクの壁面および底面に沿って導かれ、一方のワイヤの始点と対向する位置において、浮屋根の下面に固定されたものである。
この構成により、浮屋根６３は同一直径上において対をなす１組のワイヤ６１、６２によって互いに浮屋根の他方の側が変位するのを抑制し、平衡状態を保つようになっている。
【０００８】
特許文献２の「浮屋根式タンク」は、図８に示すように、浮屋根７１を昇降移動自在に収容した槽７２内の内壁に鉛直方向にガイドレール７３を設け、上記浮屋根に上記ガイドレールに規制されて転動する車輪７４を設けたものである。
【０００９】
【特許文献１】特開昭５４−１４１６号公報、「タンクの耐震用浮屋根平衡保持装置」
【特許文献２】実開昭６１−１４６９１号公報、「浮屋根式タンク」
【発明の開示】
【発明が解決しようとする課題】
【００１０】
上述したように、浮屋根式タンクは、地震時には浮屋根が大きく傾動して揺れるため、内部の液が漏れだして露出し、火災に至るおそれがあった。
また、上述した先行技術の装置は、浮屋根の傾動を抑制することができるが、貯蔵タンク内に構成機器を設置する必要があるため、既設の浮屋根式タンクへの適用が困難であった。
【００１１】
本発明はかかる問題点を解決するために創案されたものである。すなわち、本発明の目的は、既設の浮屋根式タンクへの適用が容易であり、かつ、地震時のスロッシングによる貯蔵液と浮屋根の共振を抑制することができ、タンク内壁とシール装置との隙間の発生を抑制して貯蔵液の漏れ出しを防止し、発火の可能性を大幅に低減することができる浮屋根式タンクの耐震装置を提供することにある。
【課題を解決するための手段】
【００１２】
本発明の第１の発明によれば、上部が開口し内部に液体を貯蔵する貯蔵タンクと、該貯蔵タンク内の液面に浮力により浮き液面を塞ぐ浮屋根とを有する浮屋根式タンクの耐震装置であって、浮屋根の外周部上面を等角度間隔で吊り上げる複数の吊上装置を備えた、ことを特徴とする浮屋根式タンクの耐震装置が提供される。
【００１３】
上記本発明の構成によれば、浮屋根は、貯蔵タンク内の液面に浮力により浮くと同時に、複数の吊上装置で吊り上げられているので、地震時に貯蔵液が傾動し、これに追従して浮屋根が傾こうとすると、傾動し下方に移動しようとする浮屋根の外周部上面に対し、吊上装置の吊り上げ力が逆方向（上向き）に作用する。従ってこの抵抗力により、浮屋根の振動を減衰させて共振を抑制することができる。
【００１４】
本発明の好ましい実施形態によれば、前記各吊上装置は、一端が浮屋根の外周部上面に固定されたワイヤと、貯蔵タンクの外周部上端に取り付けられ前記ワイヤを貯蔵タンクの外部に案内するプーリと、貯蔵タンクの外部に設置されワイヤの他端を巻取り／巻戻しするウインチとからなる。
【００１５】
この構成により、吊上装置を構成するすべての機器を、浮屋根で仕切られた貯蔵タンクの外部に設置することができるので、既設の浮屋根式タンクへ容易に適用できる。
【００１６】
また、ワイヤの移動速度が所定の速度を超える場合に、該ワイヤを制動するワイヤ制動装置を備える、ことが好ましい。
かかるワイヤ制動装置を備えることにより、地震時に浮屋根の外周部が高速で上下動するのを、ワイヤを介して制動することができ、浮屋根の振動を減衰させて共振を抑制することができる。
【００１７】
また本発明の好ましい実施形態によれば、複数の吊上装置を同期して作動させる制御装置を備える。
【００１８】
この構成により、浮屋根は、貯蔵タンク内の液面に浮力により浮くと同時に、複数の吊上装置で同期して吊り上げられているので、浮屋根が傾こうとしても、同期して作動する吊上装置の吊り上げ力が逆方向（上向き）に作用して浮屋根を常に水平に戻すように作用する。従ってこの抵抗力により、浮屋根の傾きを抑制し、浮屋根の振動を減衰させて共振を抑制することができる。
【００１９】
また本発明の好ましい実施形態によれば、前記各吊上装置の吊上げ荷重をそれぞれ検出する複数のロードセルと、検出された吊上げ荷重が所定の設定値を超えないように複数の吊上装置の吊上げ／吊下げを制御する制御装置とを備え、前記検出された吊上げ荷重が所定の設定値を超える場合に、当該吊上装置の吊上げ／吊下げを停止又は制動する。
【００２０】
この構成により、浮屋根は、貯蔵タンク内の液面に浮力により浮くと同時に、複数の吊上装置で吊上げ荷重が所定の設定値を超えないように吊り上げられているので、平常時には、従来と同様に貯蔵液の増減に応じて浮力により浮屋根が昇降することができる。また、地震時等に検出された吊上げ荷重が所定の設定値を超える場合に、当該吊上装置の吊上げ／吊下げを停止又は制動するので、屋根が傾こうとしても、停止又は制動された吊上装置の吊り上げ力が逆方向（上向き）に作用して浮屋根を常に水平に戻すように作用する。従ってこの抵抗力により、浮屋根の傾きを抑制し、浮屋根の振動を減衰させて共振を抑制することができる。
【００２１】
また本発明の好ましい実施形態によれば、浮屋根に設置されその傾斜度を検出する傾斜度センサと、検出された傾斜度が所定の設定値を超えないように複数の吊上装置の吊上げ／吊下げを制御する制御装置とを備え、前記検出された傾斜度が所定の設定値を超える場合に、下方に位置する屋根式タンクの外周部を吊り上げる吊上装置の吊上げ／吊下げを停止又は制動する。
【００２２】
この構成により、浮屋根は、貯蔵タンク内の液面に浮力により浮くと同時に、傾斜度が所定の設定値を超えないように複数の吊上装置の吊上げ／吊下げを制御するので、平常時には、ほぼ水平を保持したまま貯蔵液の増減に応じて浮力により浮屋根が昇降することができる。また、地震時等に検出された傾斜度が所定の設定値を超える場合に、下方に位置する屋根式タンクの外周部を吊り上げる吊上装置の吊上げ／吊下げを停止又は制動するので、浮屋根が傾こうとしても、停止又は制動された吊上装置の吊り上げ力が逆方向（上向き）に作用して浮屋根を常に水平に戻すように作用する。従ってこの抵抗力により、浮屋根の傾きを抑制し、浮屋根の振動を減衰させて共振を抑制することができる。
【００２３】
また本発明の好ましい実施形態によれば、浮屋根の上面に固定された複数のフードダンパを備える。
この構成により、複数のフードダンパによっても、浮屋根の振動を減衰させることができる。
【００２４】
本発明の第２の発明によれば、上部が開口し内部に液体を貯蔵する貯蔵タンクと、該貯蔵タンク内の液面に浮力により浮き液面を塞ぐ浮屋根とを有する浮屋根式タンクの耐震装置であって、浮屋根の上面に一端部が連結され他端部が貯蔵タンクの外周上端部に連結され、浮屋根を水平に保持するように同期して作動する複数のリンク連結装置を備える、ことを特徴とする浮屋根式タンクの耐震装置が提供される。
【００２５】
上記本発明の構成によれば、浮屋根は、貯蔵タンク内の液面に浮力により浮くと同時に、浮屋根を水平に保持するように同期して作動する複数のリンク連結装置を備えるので、地震時に貯蔵液が傾動しても、浮屋根は水平に保持されるので、浮屋根の傾きを抑制し、浮屋根の振動を減衰させて共振を抑制することができる。
【００２６】
本発明の好ましい実施形態によれば、前記リンク連結装置は、浮屋根の上面に設置された水平レールと、該水平レールに沿って水平に移動可能なスライダ部材と、両端がスライダ部材と貯蔵タンクの外周上端部に水平レールに直交する水平軸を中心に回転可能に枢着されたリンク部材とからなる。
【００２７】
この構成により、浮屋根が水平を保持したまま昇降すると、浮屋根の上面に設置された水平レールに沿ってスライダ部材が水平に移動し、リンク部材がこれに追従するので、平常時には、水平を保持したまま貯蔵液の増減に応じて浮力により浮屋根が昇降することができる。また、地震時に貯蔵液が傾動しても、リンク部材の両端がスライダ部材と貯蔵タンクの外周上端部に水平レールに直交する水平軸を中心に回転可能に枢着されているので、水平軸まわり以外の回転に抵抗することで、浮屋根の傾きを抑制し、浮屋根の振動を減衰させて共振を抑制することができる。
【００２８】
前記リンク部材は、互に平行に配置され長さの等しい２本のリンクロッドを対辺とする平行リンクである、ことが好ましい。
この構成により、２本のリンクロッドを対辺とする平行リンクにより、浮屋根を常に水平に保持することができる。
【発明の効果】
【００２９】
上述したように、本発明の浮屋根式タンクの耐震装置により、地震時のスロッシングによる貯蔵液と浮屋根の共振を抑制することができ、タンク内壁とシール装置との隙間の発生を抑制して貯蔵液の漏れ出しを防止し、発火の可能性を大幅に低減することができる。また、いずれもタンク外面への改造で取り付けられる構成であり、既設の浮屋根式タンクへの適用が容易である。
【発明を実施するための最良の形態】
【００３０】
以下、本発明の好ましい実施形態を図面を参照して説明する。なお、各図において共通する部分には同一の符号を付し、重複した説明を省略する。
【００３１】
本発明の浮屋根式タンクの耐震装置は、上部が開口し内部に液体を貯蔵する貯蔵タンクと、貯蔵タンク内の液面に浮力により浮き液面を塞ぐ浮屋根とを有する浮屋根式タンクに適用する耐震装置である。貯蔵タンクは、円筒形のものが一般的であるが、本発明はこれに限定されずそれ以外の形態であってもよい。浮屋根は、ポンツーン、シール装置、シングルデッキ、ウェザーシールド、等からなるのが一般的であるが、本発明はこれに限定されずそれ以外の形態であってもよい。貯蔵する液体は、例えば原油や精製石油等であるが、本発明はこれに限定されずそれ以外の形態であってもよい。
【００３２】
図１は、本発明の第１実施形態を示す全体構成図である。この例において、１は上部が開口した円筒形の貯蔵タンク、２は浮屋根である。浮屋根２は、貯蔵タンクの内側に位置するポンツーン３と、ポンツーンと貯蔵タンクの間をシールするシール装置４、ポンツーンの内側を気密に塞ぐシングルデッキ５、等からなる。また７は貯蔵液である。
【００３３】
図１において、本発明の耐震装置１０は、浮屋根２の外周部上面を等角度間隔で吊り上げる複数（好ましくは３基以上）の吊上装置１２を備える。各吊上装置１２は、一端が浮屋根２の外周部上面に固定されたワイヤ１３と、貯蔵タンク１の外周部上端に取り付けられワイヤ１３を貯蔵タンクの外部に案内するプーリ１４と、貯蔵タンクの外部に設置されワイヤ１３の他端を巻取り／巻戻しするウインチ１５とからなる。
【００３４】
上記本発明の構成によれば、浮屋根２は、貯蔵タンク１内の液面に浮力により浮くと同時に、複数の吊上装置１２で吊り上げられているので、地震時に貯蔵液７が傾動し、これに追従して浮屋根２が傾こうとすると、傾動し下方に移動しようとする浮屋根２の外周部上面に対し、吊上装置１２の吊り上げ力が逆方向（上向き）に作用する。従ってこの抵抗力により、浮屋根の振動を減衰させて共振を抑制することができる。
【００３５】
またこの構成により、吊上装置１２を構成するすべての機器を、浮屋根２で仕切られた貯蔵タンクの外部に設置することができるので、既設の浮屋根式タンクへ容易に適用できる。
【００３６】
また、この例において、ワイヤ制動装置１６を備え、地震時等に浮屋根２の外周部が高速で上下動するのを、ワイヤ１３の移動速度が所定の速度を超える場合にワイヤを介して制動するようになっている。
【００３７】
図１において、本発明の耐震装置１０は、更に複数の吊上装置１２を同期して作動させる制御装置１７を備える。この構成により、浮屋根２が傾こうとしても、同期して作動する吊上装置１２の吊り上げ力が逆方向（上向き）に作用して浮屋根２を常に水平に戻すように作用する。従ってこの抵抗力により、浮屋根の傾きを抑制し、浮屋根の振動を減衰させて共振を抑制することができる。
【００３８】
また図１において、本発明の耐震装置１０は、更に浮屋根２（この例ではポンツーン３）の上面に固定された複数のフードダンパ１８を備える。フードダンパ１８は、油圧ダンパ１８ａとこれに直結されたウエイト１８ｂとからなる。なおフードダンパ１８に代えて周知の制振装置を設置してもよい。
この構成により、複数のフードダンパ１８によっても、浮屋根の振動を減衰させることができる。
【００３９】
図２は、本発明の第２実施形態を示す全体構成図である。この例において、本発明の耐震装置１０は、各吊上装置１２の吊上げ荷重をそれぞれ検出する複数のロードセル２１と、検出された吊上げ荷重が所定の設定値を超えないように複数の吊上装置の吊上げ／吊下げを制御する制御装置２２とを備える。なおロードセル２１の代わりに張力を検出する張力センサを用いてもよい。制御装置２２は、ロードセル２１で検出された吊上げ荷重が所定の設定値を超える場合に、設定値を超える吊上装置１２の吊上げ／吊下げを停止又は制動する。制御装置を除くその他の構成は図１と同様である。
【００４０】
この構成により、浮屋根２は、貯蔵タンク１内の液面に浮力により浮くと同時に、複数の吊上装置１２で吊上げ荷重が所定の設定値を超えないように吊り上げられているので、平常時には、従来と同様に貯蔵液の増減に応じて浮力により浮屋根が昇降することができる。また、地震時等にロードセル２１で検出された吊上げ荷重が所定の設定値を超える場合に、制御装置２２で当該吊上装置の吊上げ／吊下げを停止又は制動するので、屋根２が傾こうとしても、停止又は制動された吊上装置１２の吊り上げ力が逆方向（上向き）に作用して浮屋根２を常に水平に戻すように作用する。従ってこの抵抗力により、浮屋根の傾きを抑制し、浮屋根の振動を減衰させて共振を抑制することができる。
【００４１】
図３は、本発明の第３実施形態を示す全体構成図である。この例において、本発明の耐震装置１０は、浮屋根２に設置されその傾斜度を検出する傾斜度センサ２３と、検出された傾斜度が所定の設定値を超えないように複数の吊上装置１２の吊上げ／吊下げを制御する制御装置２４とを備える。制御装置２４は、検出された傾斜度が所定の設定値を超える場合に、下方に位置する屋根式タンクの外周部を吊り上げる吊上装置１２の吊上げ／吊下げを停止又は制動するようになっている。制御装置を除くその他の構成は図１と同様である。
【００４２】
この構成により、浮屋根２は、貯蔵タンク１内の液面に浮力により浮くと同時に、傾斜度が所定の設定値を超えないように複数の吊上装置１２の吊上げ／吊下げを制御するので、平常時には、ほぼ水平を保持したまま貯蔵液７の増減に応じて浮力により浮屋根２が昇降することができる。また、地震時等に検出された傾斜度が所定の設定値を超える場合に、下方に位置する屋根式タンク２の外周部を吊り上げる吊上装置１２の吊上げ／吊下げを停止又は制動するので、浮屋根が傾こうとしても、停止又は制動された吊上装置１２の吊り上げ力が逆方向（上向き）に作用して浮屋根を常に水平に戻すように作用する。従ってこの抵抗力により、浮屋根の傾きを抑制し、浮屋根の振動を減衰させて共振を抑制することができる。
【００４３】
図４は、本発明の第４実施形態を示す全体構成図である。この例において、本発明の耐震装置１０は、浮屋根２の上面に一端部が連結され他端部が貯蔵タンク１の外周上端部に連結され、浮屋根を水平に保持するように同期して作動する複数（好ましくは３基以上）のリンク連結装置３０を備える。この例において、リンク連結装置３０は、浮屋根２の上面に設置された水平レール３１と、水平レール３１に沿って水平に移動可能なスライダ部材３２と、両端がスライダ部材３２と貯蔵タンク１の外周上端部に水平レールに直交する水平軸を中心に回転可能に枢着されたリンク部材３３とからなる。
水平レール３１は、好ましくは３本以上が互に異なる方向に延び、浮屋根２の上面に放射状または多角形を構成するように配置するのがよい。
【００４４】
この構成により、浮屋根２が水平を保持したまま昇降すると、浮屋根２の上面に設置された水平レール３１に沿ってスライダ部材３２が水平に移動し、リンク部材３３が傾動してこれに追従するので、平常時には、水平を保持したまま貯蔵液７の増減に応じて浮力により浮屋根２が昇降することができる。また、地震時に貯蔵液７が傾動しても、リンク部材３０の両端がスライダ部材３２と貯蔵タンクの外周上端部に水平レール３１に直交する水平軸を中心に回転可能に枢着されているので、スライダ部材３２と水平レール３１の摺動抵抗により、水平軸まわり以外の回転に抵抗することで、浮屋根２の傾きを抑制し、浮屋根の振動を減衰させて共振を抑制することができる。
【００４５】
図５は、本発明の第４実施形態を示す全体構成図である。この例において、本発明の耐震装置１０のリンク部材３３は、互に平行に配置され、長さの等しい２本のリンクロッド３３ａを対辺とする平行リンクである。２本のリンクロッド３３ａは、スライダ部材３２と貯蔵タンク１の外周上端部に、平行リンクを構成するように水平軸を中心に回転可能に枢着されている。その他の構成は図５と同様である。
【００４６】
この構成により、２本のリンクロッド３３ａを対辺とする平行リンクにより、スライダ部材３２と水平レール３１の摺動抵抗を小さくしても、浮屋根２を常に水平に保持することができる。
【００４７】
上述した図４、図５の構成によれば、浮屋根２は、貯蔵タンク１内の液面に浮力により浮くと同時に、浮屋根２を水平に保持するように同期して作動する複数のリンク連結装置３０を備えるので、地震時に貯蔵液が傾動しても、浮屋根２は水平に保持されるので、浮屋根２の傾きを抑制し、浮屋根の振動を減衰させて共振を抑制することができる。
【００４８】
上述したように、本発明は、タンク屋根の平行度をアクティブコントロールする装置を取り付けることにより、地震時に屋根が大きく揺れることを防止し、上例のような２次災害の防止を図るものである。この装置を、既存のタンクに装着することにより、過去の資産を無駄にすることなく、タンクの耐震補強が可能となる。
【００４９】
なお、本発明は上述した実施例及び実施形態に限定されず、本発明の要旨を逸脱しない範囲で種々変更できることは勿論である。
【図面の簡単な説明】
【００５０】
【図１】本発明の第１実施形態を示す全体構成図である。
【図２】本発明の第２実施形態を示す全体構成図である。
【図３】本発明の第３実施形態を示す全体構成図である。
【図４】本発明の第４実施形態を示す全体構成図である。
【図５】本発明の第５実施形態を示す全体構成図である。
【図６】従来の一般的な浮屋根式タンクの構成図である。
【図７】特許文献１の「タンクの耐震用浮屋根平衡保持装置」の模式図である。
【図８】特許文献２の「浮屋根式タンク」の模式図である。
【符号の説明】
【００５１】
１  貯蔵タンク、２  浮屋根、３  ポンツーン、
４  シール装置、５  シングルデッキ、７  貯蔵液、
１０  耐震装置、１２  吊上装置、１３  ワイヤ、
１４  プーリ、１５  ウインチ、１６  ワイヤ制動装置、
１７  制御装置、１８  フードダンパ、
１８ａ  油圧ダンパ、１８ｂ  ウエイト、
２１  ロードセル、２２  制御装置、
２３  傾斜度センサ、２４  制御装置、
３０  リンク連結装置、３１  水平レール、
３２  スライダ部材、３３  リンク部材、
３３ａ  リンクロッド
【図１】
2005247379.tif 000003
【図２】
2005247379.tif 000004
【図３】
2005247379.tif 000005
【図４】
2005247379.tif 000006
【図５】
2005247379.tif 000007
【図６】
2005247379.tif 000008
【図７】
2005247379.tif 000009
【図８】
2005247379.tif 000010